【手続補正書】
【提出日】平成16年8月3日(2004.8.3)
【手続補正１】
【補正対象書類名】明細書
【補正対象項目名】特許請求の範囲
【補正方法】変更
【補正の内容】
【特許請求の範囲】
【請求項１】
撮影レンズの光路上に光路分割部材を配置して撮影側と観察側とに光路を分割し、
撮影側には電子撮像素子を配置して被写体の像を結像させ、被写体の像を結像後、電子撮像素子自身またはその近傍の反射面での反射光を再び光路分割部材に入射させて、
電子撮像素子が光路分割部材の透過側に位置する場合には光路分割部材で反射した光束を測光素子に導き、電子撮像素子が光路分割部材の反射側に位置する場合には光路分割部材で透過した光束を測光素子に導くようにし、
観察側の光路上には像反転部材、接眼レンズを配置して被写体を観察するようにしたことを特徴とする撮影・観察光学系。
【請求項２】
撮影レンズの光路上に光路分割部材を配置して第１の撮影側と第２の撮影側とに光路を分割し、
第１の撮影側には第１の電子撮像素子を配置して被写体の像を結像させ、被写体の像を結像後、電子撮像素子自身またはその近傍の反射面での反射光を再び光路分割部材に入射させて、
第１の電子撮像素子が光路分割部材の透過側に位置する場合には光路分割部材で反射した光束を測光素子に導き、第１の電子撮像素子が光路分割部材の反射側に位置する場合には光路分割部材で透過した光束を測光素子に導くようにし、
第２の撮影側には第２の撮像素子を配置して被写体の像を結像させ、被写体の像を結像後、撮像素子自身またはその近傍の反射面での反射光を再び光路分割部材に入射させて、
第２の撮像素子が光路分割部材の透過側に位置する場合には光路分割部材で反射した光束を測光素子に導き、第２の撮像素子が光路分割部材の反射側に位置する場合には光路分割部材で透過した光束を測光素子に導くようにしたことを特徴とする撮影光学系。
【請求項３】
撮影レンズの光路上に光路分割部材を配置して撮影側と観察側とに光路を分割し、
撮影側の光路には電子撮像素子を配置して被写体の像を結像させると共に、撮影レンズで結像した被写体の像を観察する観察光学系を配置し、
観察光学系は被写体側より順に、撮影レンズにより結像される第１結像面と、第１結像面に配置された視野枠と、第１フィールドレンズと、リレーレンズと、第２フィールドレンズと、第２結像面と、接眼レンズとを有し、第１結像面より眼側の光路において反射部材はリレーレンズと第２フィールドレンズとの間に１つのみ有していることを特徴とする撮影・観察光学系。
【請求項４】
前記光路分割部材は第１プリズムと第２プリズムとで構成され、前記第１プリズムは前記撮影レンズ側に配置され、前記撮影レンズからの光を透過させる第１面と、該第１面からの透過光を透過及び反射する第２面と、該第２面で反射され該第１面で反射される反射光を透過させる第３面とを少なくとも有し、前記第２プリズムは前記第１プリズムの第２面からの透過光を透過させる第１面と、該第１面からの透過光を透過させる第２面と、該第１面と該第２面に対して鋭角的に交わる第３面を有し、前記第１プリズムの第２面と前記第２プリズムの第１面は接合されてハーフミラー面を構成し、第１の電子撮像素子自身またはその近傍の反射面で反射され前記第１プリズムの第３面を透過し前記第１プリズムの第１面で反射され前記ハーフミラー面を透過した透過光と、第２の撮像素子自身またはその近傍の反射面で反射され前記第２プリズムの第２面を透過し前記ハーフミラー面で反射される反射光とを、前記第２プリズムの第２面で反射し、前記第２プリズムの第３面で透過させて測光素子に導くように構成されていることを特徴とする請求項２に記載の撮影光学系。
【請求項５】
前記光路分割部材は第１プリズムと第２プリズムとで構成され、前記第１プリズムは前記撮影レンズ側に配置され、前記撮影レンズからの光を透過させる第１面と、該第１面からの透過光を透過及び反射する第２面と、該第２面で反射され該第１面で反射される反射光を透過させる第３面とを少なくとも有し、前記第２プリズムは前記第１プリズムの第２面からの透過光を透過させる第１面と、該第１面からの透過光を透過させる第２面と、該第１面と該第２面に対して鋭角的に交わる第３面を有し、前記第１プリズムの第２面と前記第２プリズムの第１面は接合されてハーフミラー面を構成し、第２の撮像素子自身またはその近傍の反射面で反射され前記第１プリズムの第３面を透過し前記第１プリズムの第１面で反射され前記ハーフミラー面を透過した透過光と、第１の電子撮像素子自身またはその近傍の反射面で反射され前記第２プリズムの第２面を透過し前記ハーフミラー面で反射される反射光とを、前記第２プリズムの第２面で反射し、前記第２プリズムの第３面で透過させて測光素子に導くように構成されていることを特徴とする請求項２に記載の撮影光学系。
【請求項６】
前記光路分割部材と電子撮像素子との間に偏光面を回転する部材を配置したことを特徴とする請求項２，４及び５の何れかに記載の撮影光学系。
【請求項７】
前記光路分割部材と電子撮像素子との間に偏光面を回転する部材を配置したことを特徴とする請求項１に記載の撮影・観察光学系。
【請求項８】
前記光路分割部材と測光素子の間に偏光面を回転する部材を配置したことを特徴とする請求項６に記載の撮影・観察光学系。
【請求項９】
前記光路分割部材と測光素子の間に偏光面を回転する部材を配置したことを特徴とする請求項７に記載の撮影・観察光学系。
【請求項１０】
ストロボ調光を行うようにした、請求項１，７及び９の何れかに記載の撮影・観察光学系又は請求項２，４乃至６及び８の何れかに記載の撮影光学系を有するカメラ。
【請求項１１】
撮影レンズの光路上に光路分割部材を配置して撮影側と観察側に光路を分割し、撮影側には電子撮像素子を配置して被写体の像を結像させ、観察側の光路には撮影レンズで結像した被写体の像を観察する光学系を配置し、観察光学系は被写体側より順に第１結像面と、第１結像面に配置された視野枠と、第１フィールドレンズと、リレーレンズと、第２フィールドレンズと、第２結像面と、接眼レンズとを有し、第１結像面より眼側の光路において反射部材は第１フィールドレンズとリレーレンズの間に１つ、リレーレンズと第２フィールドレンズの間に１つ、合計２つのみ有することを特徴とする撮影・観察光学系。
【請求項１２】
請求項１を満足することを特徴とする請求項３に記載の撮影・観察光学系。
【請求項１３】
請求項１を満足することを特徴とする請求項１１に記載の撮影・観察光学系。
【請求項１４】
請求項３及び１１乃至１３の何れかに記載の撮影・観察光学系を有するカメラ。
【請求項１５】
前記第２の撮像素子は、銀塩フィルムであることを特徴とする請求項２，４乃至６，８及び１０の何れかに記載の撮影光学系。
【請求項１６】
前記観察側には、撮影レンズで結像した被写体の像を観察する観察光学系を配置し、前記観察光学系は被写体側より順に、撮影レンズにより結像される第１結像面と、第１結像面に配置された視野枠と、前記像反転部材としての第１フィールドレンズ、リレーレンズ及び第２フィールドレンズと、第２結像面と、前記接眼レンズとを有し、前記第１結像面より眼側の光路において、前記リレーレンズと前記第２フィールドレンズとの間に反射部材を１つのみ有していることを特徴とする請求項１に記載の撮影・観察光学系。
【請求項１７】
前記観察側の光路には撮影レンズで結像した被写体の像を観察する光学系を配置し、前記観察光学系は、被写体側より順に第１結像面と、第１結像面に配置された視野枠と、前記像反転部材としての第１フィールドレンズ、リレーレンズ及び第２フィールドレンズと、第２結像面と、前記接眼レンズとを有し、前記第１結像面より眼側の光路において、前記第１フィールドレンズと前記リレーレンズの間、及び前記リレーレンズと前記第２フィールドレンズの間に反射部材をそれぞれ１つ、合計２つのみ有することを特徴とする請求項１に記載の撮影・観察光学系。
【手続補正２】
【補正対象書類名】明細書
【補正対象項目名】０００９
【補正方法】変更
【補正の内容】
【０００９】
また、本発明の撮影・観察光学系及びそれを有するカメラは、撮影レンズの光路上に光路分割部材を配置して撮影側と観察側とに光路を分割し、撮影側の光路には電子撮像素子を配置して被写体の像を結像させると共に、撮影レンズで結像した被写体の像を観察する観察光学系を配置し、観察光学系は被写体側より順に、撮影レンズにより結像される第１結像面と、第１結像面に配置する視野枠と、第１フィールドレンズと、リレーレンズと、第２フィールドレンズと、第２結像面と、接眼レンズとを有し、第１結像面より眼側の光路において反射部材はリレーレンズと第２フィールドレンズとの間に１つのみ有していることを特徴とする。
また、本発明の撮影・観察光学系及びそれを有するカメラは、前記光路分割部材は第１プリズムと第２プリズムとで構成され、前記第１プリズムは前記撮影レンズ側に配置され、前記撮影レンズからの光を透過させる第１面と、該第１面からの透過光を透過及び反射する第２面と、該第２面で反射され該第１面で反射される反射光を透過させる第３面とを少なくとも有し、前記第２プリズムは前記第１プリズムの第２面からの透過光を透過させる第１面と、該第１面からの透過光を透過させる第２面と、該第１面と該第２面に対して鋭角的に交わる第３面を有し、前記第１プリズムの第２面と前記第２プリズムの第１面は接合されてハーフミラー面を構成し、第１の電子撮像素子自身またはその近傍の反射面で反射され前記第１プリズムの第３面を透過し前記第１プリズムの第１面で反射され前記ハーフミラー面を透過した透過光と、第２の撮像素子自身またはその近傍の反射面で反射され前記第２プリズムの第２面を透過し前記ハーフミラー面で反射される反射光とを、前記第２プリズムの第２面で反射し、前記第２プリズムの第３面で透過させて測光素子に導くように構成されていることを特徴とする。
また、本発明の撮影・観察光学系及びそれを有するカメラは、前記光路分割部材は第１プリズムと第２プリズムとで構成され、前記第１プリズムは前記撮影レンズ側に配置され、前記撮影レンズからの光を透過させる第１面と、該第１面からの透過光を透過及び反射する第２面と、該第２面で反射され該第１面で反射される反射光を透過させる第３面とを少なくとも有し、前記第２プリズムは前記第１プリズムの第２面からの透過光を透過させる第１面と、該第１面からの透過光を透過させる第２面と、該第１面と該第２面に対して鋭角的に交わる第３面を有し、前記第１プリズムの第２面と前記第２プリズムの第１面は接合されてハーフミラー面を構成し、第２の撮像素子自身またはその近傍の反射面で反射され前記第１プリズムの第３面を透過し前記第１プリズムの第１面で反射され前記ハーフミラー面を透過した透過光と、第１の電子撮像素子自身またはその近傍の反射面で反射され前記第２プリズムの第２面を透過し前記ハーフミラー面で反射される反射光とを、前記第２プリズムの第２面で反射し、前記第２プリズムの第３面で透過させて測光素子に導くように構成されていることを特徴とする。
また、本発明の撮影・観察光学系及びそれを有するカメラは、前記光路分割部材と電子撮像素子との間に偏光面を回転する部材を配置したことを特徴とする。
また、本発明の撮影・観察光学系及びそれを有するカメラは、前記光路分割部材と電子撮像素子との間に偏光面を回転する部材を配置したことを特徴とする。
また、本発明の撮影・観察光学系及びそれを有するカメラは、前記光路分割部材と測光素子の間に偏光面を回転する部材を配置したことを特徴とする。
また、本発明の撮影・観察光学系及びそれを有するカメラは、ストロボ調光を行うようにしたことを特徴とする。
また、本発明の撮影・観察光学系及びそれを有するカメラは、撮影レンズの光路上に光路分割部材を配置して撮影側と観察側に光路を分割し、撮影側には電子撮像素子を配置して被写体の像を結像させ、観察側の光路には撮影レンズで結像した被写体の像を観察する光学系を配置し、観察光学系は被写体側より順に第１結像面と、第１結像面に配置された視野枠と、第１フィールドレンズと、リレーレンズと、第２フィールドレンズと、第２結像面と、接眼レンズとを有し、第１結像面より眼側の光路において反射部材は第１フィールドレンズとリレーレンズの間に１つ、リレーレンズと第２フィールドレンズの間に１つ、合計２つのみ有することを特徴とする。
また、本発明の撮影・観察光学系及びそれを有するカメラは、前記第２の撮像素子が、銀塩フィルムであることを特徴とする。
また、本発明の撮影・観察光学系及びそれを有するカメラは、前記観察側には、撮影レンズで結像した被写体の像を観察する観察光学系を配置し、前記観察光学系は被写体側より順に、撮影レンズにより結像される第１結像面と、第１結像面に配置された視野枠と、前記像反転部材としての第１フィールドレンズ、リレーレンズ及び第２フィールドレンズと、第２結像面と、前記接眼レンズとを有し、前記第１結像面より眼側の光路において、前記リレーレンズと前記第２フィールドレンズとの間に反射部材を１つのみ有していることを特徴とする。
更に、本発明の撮影・観察光学系及びそれを有するカメラは、前記観察側の光路には撮影レンズで結像した被写体の像を観察する光学系を配置し、前記観察光学系は、被写体側より順に第１結像面と、第１結像面に配置された視野枠と、前記像反転部材としての第１フィールドレンズ、リレーレンズ及び第２フィールドレンズと、第２結像面と、前記接眼レンズとを有し、前記第１結像面より眼側の光路において、前記第１フィールドレンズと前記リレーレンズの間、及び前記リレーレンズと前記第２フィールドレンズの間に反射部材をそれぞれ１つ、合計２つのみ有することを特徴とする。